(57)【要約】【課題】  手摺ブラケットの取付部を隠蔽して、取付部への衝突を回避すると共に、手摺ブラケットと腰壁とに一体感を持たせて美観の向上を図れるようにし、また、施工を容易にすると共に、強度の向上を図れるようにすること。【解決手段】  床面より所定高さの壁面まで配設される腰壁パネル１０と、腰壁パネル１０の上端部表面を被覆すべく壁面に横設される見切り材２０と、見切り材２０に取り付けられる手摺ブラケット４０とを具備する手摺付き腰壁において、見切り材２０に、この見切り材２０の長手方向に沿って凹溝２２を形成し、手摺ブラケット４０に設けられる取付フランジ４１を、凹溝２２内に係止固定し、取付フランジ４１及び凹溝２２の開口部２２ａを隠蔽するように凹溝２２の開口部２２ａにカバー６０を被着すると共に、カバー６０の表面と見切り材２０の表面とを同一面上に位置するように形成する。【選択図】    図２
2005113505.tif 000002
【特許請求の範囲】
【請求項１】
床面より所定高さの壁面まで配設される腰壁パネルと、この腰壁パネルの上端部表面を被覆すべく上記壁面に横設される見切り材と、この見切り材に取り付けられる手摺ブラケットとを具備する手摺付き腰壁であって、
上記見切り材に、この見切り材の長手方向に沿って凹溝を形成し、
上記手摺ブラケットの端部に設けられる取付フランジを、上記凹溝内に係止固定し、
上記取付フランジ及び凹溝の開口部を隠蔽するように凹溝の開口部にカバーを被着すると共に、カバーの表面と上記見切り材の表面とを同一面上に位置してなることを特徴とする手摺付き腰壁。
【請求項２】
請求項１記載の手摺付き腰壁において、
上記カバーを、凹溝内における取付フランジ間の空間を塞ぐべく取付フランジと略同一の厚さを有する塞ぎ部材と、この塞ぎ部材の表面に接着され、かつ、上記凹溝の上端辺と塞ぎ部材及び取付フランジの上端との隙間内に嵌挿される係止片を有するカバー材とで構成してなることを特徴とする手摺付き腰壁。
【請求項３】
請求項１記載の手摺付き腰壁において、
上記カバーの上端部に、凹溝の上端辺と取付ブラケットの上端との隙間内に嵌挿される係止片を突設し、
上記カバーの下端部には、上記凹溝の開口部と対向する底面に当接する当接部を有する略横Ｌ字状の塞ぎ片を突設すると共に、この塞ぎ片の基端部に薄肉部を残して長手通しの切欠きを形成し、
上記カバーを、見切り材の凹溝に被着する際に、取付フランジが位置する箇所の塞ぎ片に一対の切込みを入れ、この切込みと上記切欠きに沿って塞ぎ片の一部を切除した後、切除された部分を取付フランジに位置させてカバーを被着可能に形成してなることを特徴とする手摺付き腰壁。
【請求項４】
請求項１ないし３のいずれかに記載の手摺付き腰壁において、
上記凹溝は、断面略コ字状に形成され、
上記手摺ブラケットは、上記凹溝内に係止固定される板状の取付フランジと、この取付フランジの下端から突出されると共に、基端部が上記凹溝の下端辺に当接する笠木取付部とで構成されることを特徴とする手摺付き腰壁。
【発明の詳細な説明】
【技術分野】
【０００１】
この発明は手摺付き腰壁に関するもので、更に詳細には、壁面に配設される腰壁パネルの上端部表面を被覆して壁面に横設される見切り材に手摺ブラケットを取り付けた手摺付き腰壁に関するものである。
【背景技術】
【０００２】
従来では、例えば廊下等の壁面を保護するために、床面の高さから人間の腰のあたりの高さに板状のパネルを装着して腰壁を形成している。
【０００３】
また、廊下には手摺を設けることが多いが、手摺が取り付けられた壁面の手摺周辺は、手が接触するために汚れ易くなる。
【０００４】
そこで、腰壁においては、腰壁を手摺設置高さよりもやや高く設けて、汚れ防止領域を設けると共に、腰壁面上に手摺を設置することが現状に行われている。
【０００５】
この場合、腰壁の壁面上に手摺ブラケットを係止固定するため、壁面に突出してしまうので、歩行中に手が当たったり、ワゴンやストレッチャ等が衝突する虞がある。
【０００６】
手摺ブラケットを壁面から突出させないようにするために、従来では、パネル面材の一部を開口して、狭隘開口部を有するレール状の手摺受材を埋め込み、手摺固定部と嵌合部とからなる手摺ブラケットの嵌合部を、手摺受材の開口部内に挿入し、手摺受材の開口部に嵌合される手摺受カバー材によって固定する手摺の取付構造が知られている（例えば、特許文献１参照）。
【０００７】
また、壁に狭隘開口状の溝形材を取り付け、この溝形材の開口部内に手摺ブラケットに設けられた係止板を係止し、手摺ブラケットの側方の溝形材の開口部をカバー材で閉塞すると共に、手摺ブラケットの付け根部分に化粧板を取り付けた構造の手摺付き壁装置が知られている（例えば、特許文献２参照）。
【特許文献１】特開２００１−９０３０１（特許請求の範囲、図１）
【特許文献２】実公平４−３７１５５号公報（実用新案登録請求の範囲、第２図、第３図）
【発明の開示】
【発明が解決しようとする課題】
【０００８】
しかしながら、前者すなわち特開２００１−９０３０１に記載のものは、手摺受材の開口部内における手摺ブラケットの嵌合部の両側に手摺受カバー材を嵌合する構造であるため、構成部材が多くなると共に、手摺受カバー材の取り付けに手間を要する上、手摺ブラケットの嵌合部が外部に露出するので、美観が損なわれるという問題があった。
【０００９】
これに対して、後者すなわち実公平４−３７１５５号公報に記載のものにおいては、化粧板によって手摺ブラケットの取付部を外部から目隠しすることができるが、これにおいては、カバー材が複数必要な上、更に、化粧板が必要なため、構成部材が多くなると共に、施工に手間を要するという問題があった。また、カバー材は連続状でなく、カバー材間に化粧板が介在されるために、美観が損なわれるという問題もある。
【００１０】
この発明は、上記事情に鑑みてなされたもので、手摺ブラケットの取付部を隠蔽して、取付部への衝突を回避すると共に、手摺ブラケットと腰壁とに一体感を持たせて美観の向上を図れるようにし、また、施工を容易にすると共に、強度の向上を図れるようにすることを課題とする。
【課題を解決するための手段】
【００１１】
上記課題を解決するために、この発明は、床面より所定高さの壁面まで配設される腰壁パネルと、この腰壁パネルの上端部表面を被覆すべく上記壁面に横設される見切り材と、この見切り材に取り付けられる手摺ブラケットとを具備する手摺付き腰壁であって、  上記見切り材に、この見切り材の長手方向に沿って凹溝を形成し、  上記手摺ブラケットの端部に設けられる取付フランジを、上記凹溝内に係止固定し、  上記取付フランジ及び凹溝の開口部を隠蔽するように凹溝の開口部にカバーを被着すると共に、カバーの表面と上記見切り材の表面とを同一面上に位置してなることを特徴とする（請求項１）。
【００１２】
この発明において、上記カバーを、凹溝内における取付フランジ間の空間を塞ぐべく取付フランジと略同一の厚さを有する塞ぎ部材と、この塞ぎ部材の表面に接着され、かつ、上記凹溝の上端辺と塞ぎ部材及び取付フランジの上端との隙間内に嵌挿される係止片を有するカバー材とで構成することができる（請求項２）。
【００１３】
また、上記カバーの上端部に、凹溝の上端辺と取付ブラケットの上端との隙間内に嵌挿される係止片を突設し、  上記カバーの下端部には、上記凹溝の開口部と対向する底面に当接する当接部を有する略横Ｌ字状の塞ぎ片を突設すると共に、この塞ぎ片の基端部に薄肉部を残して長手通しの切欠きを形成し、  上記カバーを、見切り材の凹溝に被着する際に、取付フランジが位置する箇所の塞ぎ片に一対の切込みを入れ、この切込みと上記切欠きに沿って塞ぎ片の一部を切除した後、切除された部分を取付フランジに位置させてカバーを被着可能に形成することも可能である（請求項３）。
【００１４】
また、上記凹溝を、断面略コ字状に形成し、  上記手摺ブラケットを、上記凹溝内に係止固定される板状の取付フランジと、この取付フランジの下端から突出されると共に、基端部が上記凹溝の下端辺に当接する笠木取付部とで構成する方が好ましい（請求項４）。
【発明の効果】
【００１５】
この発明の手摺付き腰壁は、上記のように構成されているので、以下のような効果が得られる。
【００１６】
（１）請求項１記載の発明によれば、腰壁パネルの上端部表面を被覆するように横設された見切り材に形成される凹溝内に、手摺ブラケットの取付フランジを係止固定し、取付フランジ及び凹溝の開口部を隠蔽するように凹溝の開口部にカバーを被着すると共に、カバーの表面と見切り材の表面とを同一面上に位置するので、連続状のカバーを見切り材の凹溝に被着して手摺ブラケットの取付部を外部から確実に隠蔽することができる。したがって、施工を容易にすることができると共に、見切り材とカバーとを一体感を持たせて美観の向上を図ることができる。また、手摺ブラケットの取付フランジは、連続状のカバー内に埋設されるので、取付フランジを十分大きく形成することができると共に、手摺ブラケットから伝達される荷重を分散させることができ、強度上の安全性の向上を図ることができる。
【００１７】
（２）請求項２記載の発明によれば、カバーを、凹溝内における取付フランジ間の空間を塞ぐべく取付フランジと略同一の厚さを有する塞ぎ部材と、この塞ぎ部材の表面に接着され、かつ、凹溝の上端辺と塞ぎ部材及び取付フランジの上端との隙間内に嵌挿される係止片を有するカバー材とで構成するので、カバーに強度を持たせることができ、上記（１）に加えて更に強度の向上を図ることができる。
【００１８】
（３）請求項３記載の発明によれば、カバーの上端部に、凹溝の上端辺と取付ブラケットの上端との隙間内に嵌挿される係止片を突設し、カバーの下端部には、凹溝の開口部と対向する底面に当接する当接部を有する略横Ｌ字状の塞ぎ片を突設すると共に、この塞ぎ片の基端部に薄肉部を残して長手通しの切欠きを形成し、カバーを、見切り材の凹溝に被着する際に、取付フランジが位置する箇所の塞ぎ片に一対の切込みを入れ、この切込みと切欠きに沿って塞ぎ片の一部を切除した後、切除された部分を取付フランジに位置させてカバーを被着可能に形成することにより、予め工場において、あるいは、現場において手摺ブラケットの取付状態に対応してカバーを被着することができる。したがって、上記（１）に加えて更に構成部材の削減が図れると共に、強度の向上を図ることができる。
【００１９】
（４）請求項４記載の発明によれば、見切り材の凹溝を、断面略コ字状に形成し、手摺ブラケットを、凹溝内に係止固定される板状の取付フランジと、この取付フランジの下端から突出されると共に、基端部が凹溝の下端辺に当接する笠木取付部とで構成することにより、見切り材の厚みをできる限り薄くすることができると共に、外部への露出部分を手摺ブラケットの笠木取付部のみとすることができる。したがって、上記（１）〜（３）に加えて更に手摺ブラケットと腰壁との一体感を持たせて美観の向上を図ることができる。また、見切り材は、手摺ブラケットを納めながらも、ドアの散り｛具体的には、壁面とドア周辺の三方枠の見付け面との距離（寸法）｝よりも小さく（低く）することができる上、見切り材への塵の付着を抑制することができる。
【発明を実施するための最良の形態】
【００２０】
以下に、この発明の最良の実施形態を添付図面に基づいて詳細に説明する。
【００２１】
＜第１実施形態＞
図１は、この発明に係る手摺付き腰壁の第１実施形態の全体を示す概略斜視図、図２は、手摺付き腰壁の要部を示す断面斜視図、図３は、図２のＩ−Ｉ線に沿う断面図、図４は、図２のII−II線に沿う断面図、図５は、手摺付き腰壁の要部を示す分解斜視図である。
【００２２】
上記手摺付き腰壁は、図１に示すように、例えば廊下の床面１より所定高さの壁面２まで配設される腰壁パネル１０と、この腰壁パネル１０の上端部表面を被覆すべく壁面２に横設される見切り材２０と、腰壁パネル１０の下端部表面を被覆すべく横設される幅木材３０と、適宜間隔をおいて見切り材２０に取り付けられる手摺ブラケット４０と、手摺ブラケット４０に横架される笠木５０と、見切り材２０に取り付けられる手摺ブラケット４０の取付部を隠蔽するカバー６０とで主に構成されている。この場合、腰壁は、壁３の出隅部に形成されており、各壁面２に形成された腰壁パネル１０の出隅部側は、出隅部に配設されるコーナーパネル７０に当接されている。
【００２３】
なお、上記腰壁パネル１０，見切り材２０，カバー６０，幅木材３０及びコーナーパネル７０は、例えば硬質塩化ビニルやＡＢＳ樹脂等の合成樹脂製部材にて形成されている。
【００２４】
上記腰壁パネル１０は、例えば幅約２０ｃｍ，長さ約３ｍ，厚さ２〜３ｍｍの長尺の板材にて形成されており、壁３の高さ方向に列設されて壁面２に接着されて腰壁を構成している。この場合、各腰壁パネル１０は、図６に示すように、幅方向の上下端部に、それぞれ略クランク状の接合段部１１が形成されており、上下に隣接する腰壁パネル１０の接合段部１１を若干ずらして接合した状態で、壁面２に接着することで、腰壁パネル１０間に横方向に延びる目地部１２が形成されている。
【００２５】
上記見切り材２０は、図２ないし図５に示すように、表面側の下部側に長手方向に沿う断面略コ字状の凹溝２２が形成されており、凹溝２２の上部に汚れ防止領域を形成している。また、見切り材２０の裏面側の上端部側には、狭隘開口状の取付溝２３が長手方向に沿って設けられており、裏面側の下端部には、腰壁パネル１０の上端部表面を被覆する垂下片２４を有する段部２５が長手通しに形成されている。この場合、見切り材２０の厚さを薄く、例えば１０ｍｍ以下の厚さにすることができるので、ドアの散り｛具体的には、壁面とドア周辺の三方枠の見付け面との距離（寸法）｝よりも小さく（低く）することができる上、例えばドアの開閉等によって舞い上がった塵が見切り材２０の上端部に付着するのを抑制することができる。なお、この場合、図３及び図４に二点鎖線で示すように、見切り材２０の上端角部に円弧状部２６を形成することによって、更に塵が付着するのを抑制することができる。
【００２６】
上記のように構成される見切り材２０は、壁面２に予め固定される断面略ハット状の位置決め用の係止金具２７の上部翼片２７ａに取付溝２３を係止させた状態で壁面２に接着することで、壁面２に横設される。なお、係止金具２７は、長手通し状あるいはピース状のいずれであってもよい。
【００２７】
上記手摺ブラケット４０は、図５に示すように、略矩形板状の取付フランジ４１と、この取付フランジ４１の下端中央部から突出されると共に、基端部４２が見切り材２０の凹溝２２の下端辺に当接する略Ｌ字状の笠木取付部４３とからなる例えばアルミニウム合金ダイキャストにて形成されている。この場合、取付フランジ４１の厚さは、凹溝２２の深さより小さく形成されており、取付フランジ４１の左右２箇所には、表面側が拡開テーパ状の取付孔４４が穿設されている。また、笠木取付部４３の取付フランジ４１の下端に突出する基端部４２の寸法Ｌ1と取付フランジ４１の高さ寸法Ｌ2とを加えた寸法Ｌ3は、凹溝２２の幅寸法Ｌより小さくなっている。これにより、凹溝２２の下端辺部に笠木取付部４３を当接して、凹溝２２内に取付フランジ４１を係止し、取付孔４４を貫通する皿小ねじにて形成される固定ビス４５にて固定した状態において、凹溝２２の上端辺と取付フランジ４１の上端との間に隙間４６が形成される。なお、固定ビス４５は、ねじ込み操作に伴って見切り材２０及び壁３を貫通して壁３の裏面側に配置された裏面補強板４にねじ結合されるようになっている。
【００２８】
上記カバー６０は、図７に示すように、凹溝２２内における取付フランジ４１間の空間を塞ぐべく取付フランジ４１と略同一の厚さを有する合成樹脂製の塞ぎ部材６１と、この塞ぎ部材６１の表面に接着され、かつ、凹溝２２の上端辺と塞ぎ部材６１及び取付フランジ４１の上端との隙間４６内に嵌挿される係止片６２を有する合成樹脂製のカバー材６３とで構成されている。この場合、塞ぎ部材６１の厚さとカバー材６３の厚さを加えた寸法が、凹溝２２の深さ寸法と略同一に形成されている。したがって、取付フランジ４１の表面と塞ぎ部材６１の表面とが同一面上に位置するので、カバー材６３の強度を保持することができる。
【００２９】
このように構成されるカバー６０は、予めカバー材６３の裏面に塞ぎ部材６１を接着しておき、凹溝２２に係止固定された取付フランジ４１の上端と凹溝２２の上端辺との隙間４６内に、カバー材６３に設けられた係止片６２を嵌挿することによって、取付フランジ４１及び凹溝２２の開口部２２ａを隠蔽するように凹溝２２の開口部２２ａに被着される。これにより、カバー６０（具体的にはカバー材６３）の表面と見切り材２０の表面とが同一面上に位置する。
【００３０】
したがって、見切り材２０とカバー６０とを一体感を持たせて美観の向上を図ることができる。また、凹溝２２内における取付フランジ４１間の空間を、取付フランジ４１と略同一の厚さを有する塞ぎ部材６１によって塞ぐことができるので、カバー６０に強度を持たせることができ、強度の向上を図ることができる。
【００３１】
次に、手摺付き腰壁の施工手順について説明する。まず、床面１より所定高さ、すなわち腰のあたりの高さまで腰壁パネル１０を壁３の高さ方向に列設すると共に、壁面２に接着して水平方向に沿って互いに平行な複数の目地部１２を有する腰壁の基部を構成する。次に、腰壁基部の上方近傍の水平線上に係止金具２７を固定ねじ２８によって固定した後、見切り材２０の取付溝２３を係止金具２７に係止させると共に、見切り材２０の垂下片２４を最上段の腰壁パネル１０の上端表面に被覆した状態で壁面２に接着して、見切り材２０を横設する。
【００３２】
次に、凹溝２２内に手摺ブラケット４０の取付フランジ４１を挿入すると共に、笠木取付部４３の下端面を凹溝２２の下端辺に当接した状態で、固定ビス４５を取付孔４４を介して見切り材２０及び壁３を貫挿して裏面補強板４にねじ結合して手摺ブラケット４０を係止固定する。このようにして複数の手摺ブラケット４０を適宜間隔をおいて見切り材２０の凹溝２２内に係止固定する。この状態において、凹溝２２の上端辺と取付フランジ４１の上端との間に隙間４６が形成されている。
【００３３】
次に、予めカバー材６３と塞ぎ部材６１とを接着したカバー６０の係止片６２を、凹溝２２の上端辺と取付フランジ４１の上端との間に形成された隙間４６内に嵌挿するようにして、取付フランジ４１及び凹溝２２の開口部２２ａを隠蔽するようにカバー６０を凹溝２２の開口部２２ａに被着（接着）する。この状態において、カバー６０（具体的にはカバー材６３）の表面と見切り材２０の表面とが同一面上に位置する。また、カバー６０の下端と凹溝２２の下端辺との間には、目地部１２と平行の溝が形成され、腰壁には手摺ブラケット４０の笠木取付部４３のみが外部に露出した状態となる。なお、手摺ブラケット４０を見切り材２０の凹溝２２内に係止固定した後、手摺ブラケット４０の笠木取付部４３に笠木５０を取り付ける。
【００３４】
そして、腰壁基部を構成する最下端部の腰壁パネル１０の下端表面に幅木材３０を横設して、施工を終了する。なお、幅木材３０の横設作業は、必ずしも見切り材２０を横設した後である必要はなく、見切り材２０を横設する前に幅木材３０の横設作業を行ってもよい。
【００３５】
＜第２実施形態＞
上記実施形態では、カバー６０が、凹溝２２内における取付フランジ４１間の空間を塞ぐ取付フランジ４１と略同一の厚さを有する塞ぎ部材６１と、合成樹脂製のカバー材６３とで構成される場合について説明したが、必ずしもこのように構成する必要はない。例えば、図８に示すように、上記腰壁パネル１０，見切り材２０及びカバー６０（カバー材６３）等と同様の合成樹脂製材料にて形成されるカバー６０Ａの上端部に、凹溝２２の上端辺と取付フランジ４１の上端との隙間４６内に嵌挿される係止片６２を突設し、カバー６０Ａの下端部には、凹溝２２の開口部２２ａと対向する底面に当接する当接部６４を有する略横Ｌ字状の塞ぎ片６５を突設すると共に、この塞ぎ片６５の基端部に薄肉部６６を残して長手通しの切欠き６７を形成してもよい。このように形成されるカバー６０Ａを、見切り材２０の凹溝２２に被着する際には、図９に示すように、例えば、図示しないカッター等を用いて、取付フランジ４１が位置する箇所の塞ぎ片６５に一対の切込み（図示せず）を入れ、この切込みと切欠き６７に沿って塞ぎ片６５の一部を切除した後、切除された凹状切除部６８を取付フランジ４１に位置させてカバー６０Ａを被着することができる（図１０参照）。
【００３６】
なお、第２実施形態において、その他の部分は第１実施形態と同じであるので、同一部分には同一符号を付して説明は省略する。
【００３７】
第２実施形態のカバー６０Ａを用いて手摺付き腰壁を施工するには、第１実施形態と同様に、まず、床面１より所定高さ、すなわち腰のあたりの高さまで腰壁パネル１０を壁３の高さ方向に列設すると共に、壁面２に接着して水平方向に沿って互いに平行な複数の目地部１２を有する腰壁の基部を構成する。次に、腰壁基部の上方近傍の水平線上に係止金具２７を固定ねじ２８によって固定した後、見切り材２０の取付溝２３を係止金具２７に係止させると共に、見切り材２０の垂下片２４を最上段の腰壁パネル１０の上端表面に被覆した状態で壁面２に接着して、見切り材２０を横設する。
【００３８】
次に、凹溝２２内に手摺ブラケット４０の取付フランジ４１を挿入すると共に、笠木取付部４３の下端面を凹溝２２の下端辺に当接した状態で、固定ビス４５を取付孔４４を介して見切り材２０及び壁３を貫挿して裏面補強板４にねじ結合して手摺ブラケット４０を係止固定する。このようにして複数の手摺ブラケット４０を適宜間隔をおいて見切り材２０の凹溝２２内に係止固定する。この状態において、凹溝２２の上端辺と取付フランジ４１の上端との間に隙間４６が形成されている。
【００３９】
次に、見切り材２０の凹溝２２にカバー６０Ａを被着するのであるが、カバー６０Ａを、見切り材２０の凹溝２２に被着する際に、カッター等（図示せず）を用いて、取付フランジ４１が位置する箇所の塞ぎ片６５に一対の切込み（図示せず）を入れ、この切込みと切欠き６７に沿って塞ぎ片６５の一部を切除した後、切除された凹状切除部６８を取付フランジ４１に位置させてカバー６０Ａを被着する。すなわち、カバー６０Ａの係止片６２を凹溝２２の上端辺と取付フランジ４１の上端との隙間４６内に嵌挿すると共に、塞ぎ片６５の当接部６４を凹溝２２の底面に当接する。この状態において、カバー６０Ａの表面と見切り材２０の表面とが同一面上に位置する。また、カバー６０Ａの下端と凹溝２２の下端辺との間には、目地部１２と平行の溝が形成され、腰壁には手摺ブラケット４０の笠木取付部４３のみが外部に露出した状態となる。
【００４０】
なお、手摺ブラケット４０を見切り材２０の凹溝２２内に係止固定した後、第１実施形態と同様に、手摺ブラケット４０の笠木取付部４３に笠木５０を取り付ける。また、最下段の腰壁パネル１０の下端部表面側に幅木材３０を横設して施工を終了する。
【００４１】
＜第３実施形態＞
上記実施形態では、長尺の板材にて形成される複数の腰壁パネル１０を、壁３の高さ方向に列設して腰壁の基部を構成する場合について説明したが、図１１に示すように、ほぼ腰壁の高さの長さを有する複数の腰壁パネル１０Ａを横方向（水平方向）に列設して、腰壁の基部を構成するようにしてもよい。この場合、図１２に示すように、各腰壁パネル１０Ａの左右端部に略クランク状の接合段部１１Ａを形成して、隣接する腰壁パネル１０Ａの接合部に縦方向に延びる目地部１２Ａを形成してもよい。また、図１３に示すように、各腰壁パネル１０Ａの左右端部に略クランク状の接合段部１１Ａを形成すると共に、腰壁パネル１０Ａの中央部に縦方向に延びる目地部１２Ａと同じ幅の目地模様溝１２Ｂを形成して、隣接する腰壁パネル１０Ａ間に形成される目地部１２Ａ間に目地模様溝１２Ｂを設けるようにしてもよい。
【００４２】
第３実施形態において、その他の部分は、第１実施形態と同様に形成されるので、同一部分には同一符号を付して説明は省略する。また、第３実施形態においても、第１実施形態のカバー６０に代えて第２実施形態のカバー６０Ａを使用することは可能である。
【図面の簡単な説明】
【００４３】
【図１】この発明に係る手摺付き腰壁の第１実施形態を示す概略斜視図である。
【図２】第１実施形態の手摺付き腰壁の要部を示す断面斜視図である。
【図３】図２のＩ−Ｉ線に沿う断面図である。
【図４】図２のII−II線に沿う断面図である。
【図５】第１実施形態の手摺付き腰壁の要部を示す分解斜視図である。
【図６】第１実施形態における腰壁パネルの接合状態を示す断面斜視図である。
【図７】第１実施形態におけるカバー材と塞ぎ材を示す斜視図である。
【図８】この発明に係る手摺付き腰壁の第２実施形態の要部を示す断面斜視図である。
【図９】第２実施形態の手摺付き腰壁の要部を示す断面図（ａ）及び（ａ）のIII部の拡大断面図（ｂ）である。
【図１０】第２実施形態におけるカバーの塞ぎ片の一部を切除した状態を示す斜視図である。
【図１１】この発明に係る手摺付き腰壁の第３実施形態を示す概略斜視図である。
【図１２】第３実施形態における腰壁パネルの接合状態を示す断面斜視図である。
【図１３】第３実施形態における別の腰壁パネルの接合状態を示す断面斜視図である。
【符号の説明】
【００４４】
１０，１０Ａ  腰壁パネル
２０  見切り材
２２  凹溝
２２ａ  開口部
４０  手摺ブラケット
４１  取付フランジ
４２  基端部
４３  笠木取付部
４５  固定ビス
４６  隙間
５０  笠木
６０，６０Ａ  カバー
６１  塞ぎ部材
６２  係止片
６３  カバー材
６４  当接部
６５  塞ぎ片
６６  薄肉部
６７  切欠き
６８  凹状切除部
【図１】
2005113505.tif 000003
【図２】
2005113505.tif 000004
【図３】
2005113505.tif 000005
【図４】
2005113505.tif 000006
【図５】
2005113505.tif 000007
【図６】
2005113505.tif 000008
【図７】
2005113505.tif 000009
【図８】
2005113505.tif 000010
【図９】
2005113505.tif 000011
【図１０】
2005113505.tif 000012
【図１１】
2005113505.tif 000013
【図１２】
2005113505.tif 000014
【図１３】
2005113505.tif 000015